(57)【要約】【課題】モータの小型化、引いては全体の小型化を可能とし、取付が容易に行なえると共に製作コストも低廉になし得る球払出装置を提供する。【解決手段】球通路４と、該球通路４に近接して配置されその中心軸線を含む面内で自在に回転し、外周縁に沿って球通路４の遊技球を受け入れる複数の球受凹部６が列設されその外周縁の一部が球通路４内に介入するスプロケット５と、その一側に設けられ、中心軸線がスプロケット５の回転軸７と平行をなしかつ該中心軸線を中心として回転することによりスプロケット５の球受凹部６に係合し、常には弾発手段１２によりスプロケット５の球受凹部６に係合するように回転付勢されるストッパ部材９とを備え、ストッパ部材９にその中心軸線に沿ってモータ１４の駆動軸１５を連結し、モータ１４を駆動させることにより弾発手段１２の付勢に抗し該ストッパ部材９を回動させ球受凹部６との係合を解くようにした。【選択図】図３
2011239981.tif 000002
【特許請求の範囲】
【請求項１】
両端面が開放される球通路と、
前記球通路に近接して配置され該球通路の中心軸線を含む面内で自在に回転し、外周縁に沿って前記球通路を流れる遊技球を受け入れる複数の球受凹部が列設されその外周縁の一部が該球通路内に介入するスプロケットと、
前記スプロケットの一側に設けられ、中心軸線が前記スプロケットの回転軸と平行をなしかつ該中心軸線を中心として回動することにより前記スプロケットの球受凹部に係脱自在に係合し、常には弾発手段により前記スプロケットの球受凹部に係合するように回転付勢されるストッパ部材とを備え、
前記ストッパ部材にその中心軸線に沿ってモータの駆動軸を連結し、前記モータを駆動させることにより前記弾発手段の付勢に抗し前記ストッパ部材が回動して前記球受凹部との係合が解かれ、前記スプロケットが自在に回転するようにしたことを特徴とする球払出装置。
【発明の詳細な説明】
【技術分野】
【０００１】
本発明は、貸し球や賞球といった遊技球を要求に応じて払い出す球払出装置に関するものである。
【背景技術】
【０００２】
従来、パチンコ機といった遊技機の裏側には、上部の球タンクと連なるようにして貸し球や賞球を払い出す球払出装置が装着されている。該球払出装置は、例えば次のような構成からなる。すなわち、該球払出装置は、ケース本体内の一側に上下方向に配されるようにして球通路が形成され、該球通路に近接してスプロケットが回転自在に軸着されている。該スプロケットは球通路の中心軸線を含む鉛直面内で自在に回転し、その外周縁に沿って前記球通路を流下する遊技球を受け入れる複数個の球受凹部が列設されており、その一部が前記球通路内に介入するようになっている。また、スプロケットの回転軸はモータの駆動軸に連結されており、モータの駆動と共にスプロケットが回転し、球受凹部で遊技球を一個ずつ受け止めながら球通路の下方へ排出するようにしている。
【０００３】
一方、前記回転軸の基端部に複数のスリットを外周縁に沿って等間隔に設けた回転円板が設けられると共に、該回転円板を挟んでその両側に光センサが配置される。そして、前記回転軸の回転に伴いその回転量を光センサで電気的に検出することにより遊技球を何個払い出したか検出できるようになっている（例えば、特許文献１参照。）。
【先行技術文献】
【特許文献】
【０００４】
【特許文献１】特開２００１−３４７０１８号公報（第３−５頁、図１、図２）
【発明の概要】
【発明が解決しようとする課題】
【０００５】
前記特許文献１に係る球払出装置では、スプロケットを停止させる際に該スプロケットに多くの球荷重が加わることから、スプロケットを停止させるモータはトルクの大きいものが選択使用される。しかしながらトルクが大きくなれば、そのモータの容積が増えモータ自体が大きくなり、必然的に球払出装置が大型化することになる。このように球払出装置が大型化すると、通常、該球払出装置の取付個所が狭く規制されている傾向が強いことから、その取付に大変苦慮したり、製作コストも高くつくといった課題がある。
【０００６】
そこで、本発明は上記課題を解決すべくなされたもので、スプロケットを自由に回転できるようにすると共に、該スプロケットの回転・停止をモータにより行うようにして、該モータの小型化、引いては全体の小型化を可能とし、取付が容易に行なえると共に製作コストも低廉になし得る球払出装置を提供することを目的とするものである。
【課題を解決するための手段】
【０００７】
かかる目的を達成するため本発明の球払出装置は、両端面が開放される球通路と、前記球通路に近接して配置され該球通路の中心軸線を含む面内で自在に回転し、外周縁に沿って前記球通路を流れる遊技球を受け入れる複数の球受凹部が列設されその外周縁の一部が該球通路内に介入するスプロケットと、前記スプロケットの一側に設けられ、中心軸線が前記スプロケットの回転軸と平行をなしかつ該中心軸線を中心として回動することにより前記スプロケットの球受凹部に係脱自在に係合し、常には弾発手段により前記スプロケットの球受凹部に係合するように回転付勢されるストッパ部材とを備え、前記ストッパ部材にその中心軸線に沿ってモータの駆動軸を連結し、前記モータを駆動させることにより前記弾発手段の付勢に抗し前記ストッパ部材が回動して前記球受凹部との係合が解かれ、前記スプロケットが自在に回転するようにしたことを特徴とする。
【発明の効果】
【０００８】
本発明に係る球払出装置は、球通路と、該球通路に近接して配置されその中心軸線を含む面内で自在に回転し、外周縁に沿って球通路を流れる遊技球を受け入れる複数の球受凹部が列設されその外周縁の一部が該球通路内に介入するスプロケットと、該スプロケットの一側に設けられ、中心軸線がスプロケットの回転軸と平行をなしかつ該中心軸線を中心として回動することによりスプロケットの球受凹部に係脱自在に係合し、常には弾発手段によりスプロケットの球受凹部に係合するように回転付勢されるストッパ部材と、を備えて構成される。そして、ストッパ部材にその中心軸線に沿ってモータの駆動軸を連結し、該モータを駆動させることにより弾発手段の付勢に抗し該ストッパ部材が回動して球受凹部との係合が解かれ、スプロケットが自在に回転するようにしたので、ストッパ部材を回動させるに小さいトルクで済む。その結果、小型のモータが使用でき、引いては球払出装置全体の小型化が可能になる。よって、このような球払出装置の取付が場所をとらずに容易に行なえると共に、その製作コストも低廉になし得るという有益な効果を奏する。
【図面の簡単な説明】
【０００９】
【図１】本発明に係る球払出装置の斜視図。
【図２】同分解斜視図。
【図３】（イ）は同縦断面図、（ロ）は同作用を示す縦断面図。
【図４】図３（ロ）のＸ−Ｘ線断面図。
【発明を実施するための形態】
【００１０】
以下、本発明に係る球払出装置の最良の実施の形態を図面に基づき詳しく説明する。本発明に係る球払出装置は、パチンコ機、アレパチ機、雀球遊技機等の遊技機に適用される。そこで、そのうちパチンコ機に適用される場合について説明する。図１は本発明に係る球払出装置の斜視図、図２は同分解斜視図、図３（イ）は同縦断面図、図３（ロ）は同作用を示す縦断面図、図４は図３（ロ）のＸ−Ｘ線断面図である。
【００１１】
まず、図示は省略するが本発明に係る球払出装置Ａは、パチンコ機の裏側であってその一側に取り付けられる。このパチンコ機の裏側は、各種球通路やパチンコ機の遊技を制御する基板ボックスなど多くのパチンコ機部品が複雑に入り組んでいる。そして、上部の球タンクから排出される遊技球であるパチンコ球が球払出装置に供給され、遊技者やパチンコ機の要求に応じパチンコ球を貸し球や賞球として払い出す。払い出されたパチンコ球は、パチンコ機前側の球皿に導かれて該球皿に貯留されるようになっている。
【００１２】
球払出装置Ａは、図１，図２に示すように直方体形状をなしかつ内部が空洞のケース本体１からなる。該ケース本体１は中央で２分割され、一側面が開放した一対の半裁枠体１ａ，１ｂをその開放面が向き合うように重ね合わせて形成される。そして、パチンコ機の裏側には、前記中央の分割面が鉛直面となるように、すなわちその分割面がパチンコ機の裏面に対して平行または直交するように配置して取り付けられる。また、図示は省略するが、該球払出装置Ａにはその上面に球タンクからのパチンコ球を供給するため球供給樋が接続され、その下面に払い出されたパチンコ球をパチンコ機前側の球皿に導く球排出樋が接続されることになる。
【００１３】
ケース本体１内の一側に、上下方向に沿って配設されかつ上端面を球入口２、下端面を球出口３として開放した球通路４が形成される。また、ケース本体１内であって球通路４に近接させてスプロケット５が配置される。該スプロケット５は円盤状をなすと共に外周縁に沿って前記球通路４を流れるパチンコ球を受ける複数の球受凹部６が列設されており、その回転軸７が両半裁枠体１ａ，１ｂ側の内面に対向して設けられた軸受部８，８に軸支され、前記球通路４の中心軸線を含む鉛直面内で自在に回転するようになっている。そして、スプロケット５の外周縁に凹設された球受凹部６の一部が、球通路４内に介入している。これによって、球通路４内を流下するパチンコ球は一個ずつ球受凹部６にその一部が嵌り、スプロケット５をその球重量により回転させつつ下方へ排出される。
【００１４】
前記ケース本体１のうち、図２の右側に配置される一方の半裁枠体１ａ側であって前記スプロケット５の一側に、中心軸線が該スプロケット５の回転軸７と平行をなしかつ該中心軸線を中心として回動することにより、該スプロケット５の球受凹部６に係脱自在に係合するストッパ部材９が設けられる。該ストッパ部材９は後記するステッピングモータ１４の駆動軸１５に固着され、該駆動軸１５の回動動作と共に回動することになる。ストッパ部材９の一端側にスプロケット５の球受凹部６に係脱自在に係合する停止片１０が設けられ、他端側にはステッピングモータ１４の駆動軸１５が嵌入される軸孔１１が設けられる。
【００１５】
また、前記ストッパ部材９を挟んでスプロケット５の反対側に、該ストッパ部材９の停止片１０を常にスプロケット５の球受凹部６に係合するように回転付勢する弾発手段としてのネジリコイルバネ１２が配置される。該ネジリコイルバネ１２は正面略Ｕの字状に形成されると共に側面略くの字状に屈曲して形成され、図３に示すようにその両上端部１２ａ，１２ａが両半裁枠体１ａ，１ｂの上縁部に設けられた支持孔１３，１３に挿通される。そして、ネジリコイルバネ１２の中間屈曲部１２ｂがケース本体１の内側面に当接するようになっており、下端側１２ｃがストッパ部材９の停止片１０に当接し、該停止片１０をスプロケット５側へ付勢する。
【００１６】
ケース本体１における一方の半裁枠体１ａの外側面に、モータであるステッピングモータ１４が取着される。詳しくは、ステッピングモータ１４の駆動軸１５側の側面に取付板１６が固着され、該取付板１６にはその両側にビス挿通孔１７，１７が設けられている。そして、一方の半裁枠体１ａの外側面に各ビス挿通孔１７に対応して設けられた不図示の各ビス孔に各ビス挿通孔１７を介してビス１８を螺締する。これにより、小型のステッピングモータ１４が取着される。
【００１７】
ケース本体１内の上部に、球入口２から球通路４内に流入するパチンコ球を電気的に検出する上部の球検出器１９ａが配置される。また、ケース本体１内の下部に、球通路４の球出口３から排出されるパチンコ球を電気的に検出する下部の球検出器１９ｂが配置される。図中、２０は一方の半裁枠体１ａの外側面に取り付けられる制御基板である。ケース本体１における一方の半裁枠体１ａに螺子挿通孔２１が開設され、他方の半裁枠体１ｂに該螺子挿通孔２１に対向位置して螺子孔２２が開設されている。そして、これら半裁枠体１ａ，１ｂを互いに重ね合わせ、螺子挿通孔２１を介して螺子孔２２に螺子２３を螺締することにより、ケース本体１が組み立てられる。
【００１８】
本発明に係る球払出装置Ａは上記構成からなり、次に図３（イ）（ロ）に基づきその作用を説明する。通常、ステッピングモータ１４は停止してその駆動軸１５が自在に回動するようになっており、ネジリコイルバネ１２の付勢によりストッパ部材９が回動してその停止片１０がスプロケット５の球受凹部６に接するように寄る。また、この状態で、ケース本体１の上方から球入口２を介して球通路４内にパチンコ球Ｂが流入してくると、その最先端のパチンコ球Ｂ１はスプロケット５の球受凹部６にその一部が嵌り、そのままスプロケット５を回転させる。ところが、ストッパ部材９の停止片１０がネジリコイルバネ１２の付勢によりスプロケット５側へ押されているので、該スプロケット５が回転するとすぐに球受凹部６と停止片１０が係合し、スプロケット５を停止させる。これにより、図３（イ）に示すように球通路４内の最先のパチンコ球Ｂ１は、球受凹部６に入って受けられたままその位置に止まることになる。
【００１９】
そこで、パチンコ球の払い出し信号を受けると、一定の条件でステッピングモータ１４に通電され、その駆動軸１５が図３（ロ）では反時計周りに回動する。これに伴いストッパ部材９が、ネジリコイルバネ１２の付勢に抗して前記駆動軸１５と同じ方向（図３（ロ）の矢視方向）へ回動する。これにより、球受凹部６と停止片１０との係合が外れスプロケット５がパチンコ球Ｂの球重量により図３（ロ）の矢視方向へ回転し、球出口３から所定量のパチンコ球Ｂを排出する。この際、上部の球検出器１９ａと下部の球検出器１９ｂとにより通過するパチンコ球Ｂが電気的に検出され、要求されたパチンコ球Ｂを排出した時点でステッピングモータ１４への通電を止め、該ステッピングモータ１４を停止させる。ステッピングモータ１４が停止すると、その駆動軸１５が自在に回動するようになり、今度はネジリコイルバネ１２の付勢によりストッパ部材９がスプロケット５側へ回動し、停止片１０がスプロケット５の球受凹部６に係合することになる。
【００２０】
これにより、スプロケット５が停止して図３（イ）の状態に戻る。そして、次の同じ動作に備える。この際、スプロケット５の球受凹部６とストッパ部材９の停止片１０との係脱動作にあって、これらが互いに係合しているときスプロケット５の球受凹部６とストッパ部材９の停止片１０とは、ストッパ部材９の中心軸線を含んだ鉛直線上でその停止片１０先端と球受凹部６の内面とが接触している。一方、その係合を外すべくストッパ部材９を回動させるに、スプロケット５の動作方向に対しストッパ部材９の動作方向はほぼ直交するようになるので、ネジリコイルバネ１２の付勢が加わるとしても、その係合を外すに大きなトルクを必要としない。これにより、ステッピングモータ１４の駆動軸１５に、例えばスプロケット５を回転または停止させるほどの大きなトルクが掛かることはない。よって、小さいトルクによりストッパ部材９を回動させることができ、これにより小型のステッピングモータを使ってストッパ部材９を回動させればよい。
【００２１】
このように、本発明に係る球払出装置Ａは、ストッパ部材９にその中心軸線に沿ってステッピングモータ１４の駆動軸１５を連結している。そして、該ステッピングモータ１４を駆動させることにより、ネジリコイルバネ１２の付勢に抗し該ストッパ部材９が回動して球受凹部６との係合が解かれる。これにより、スプロケット５が自在に回転するので、ストッパ部材９を回動させるに小さいトルクで済み、その結果、ステッピングモータ１４の小型化、引いては球払出装置Ａ全体の小型化が可能になる。
【符号の説明】
【００２２】
１              ケース本体
１ａ            半裁枠体
１ｂ            半裁枠体
２              球入口
３              球出口
４              球通路
５              スプロケット
６              球受凹部
７              回転軸
９              ストッパ部材
１０            停止片
１２            弾発手段（ネジリコイルバネ）
１４            モータ（ステッピングモータ）
１５            駆動軸
Ａ              球払出装置
Ｂ              遊技球（パチンコ球）
Ｂ１            遊技球（パチンコ球）
【図１】
2011239981.tif 000003
【図２】
2011239981.tif 000004
【図３】
2011239981.tif 000005
【図４】
2011239981.tif 000006